(57)【特許請求の範囲】
【請求項１】
改善されたアイウェアであって、
その断面寸法がそれに隣接するテンプル部分の断面寸法よりも小さい、長さに沿って凹み座部を有する少なくとも１本のテンプルと、
前記凹み座部の周囲の少なくとも一部分に対して解放可能式に係合する内表面と、着用者の頭部との接触表面を提供するように適応された外表面とを有する少なくとも１つのけん引部材と、
を備え、前記けん引部材の少なくとも一部分は、前記テンプルの外周を部分的に取り巻き、前記けん引部材の少なくとも他の一部分は、前記テンプルの外周を取り巻く閉じられた筒状の部分を含む、改善されたアイウェア。
【請求項２】
請求項１に記載の改善されたアイウェアであって、
前記少なくとも１つのけん引部材は、前記隣接するテンプル部分の少なくとも一部分の周囲と概ね平坦である、改善されたアイウェア。
【請求項３】
請求項１に記載の改善されたアイウェアであって、
前記凹み座部は、第１の領域内の幅狭な開口と第２の領域内の拡大部分を有する切り欠きであって、前記けん引部材の前記内表面上の相補的突出に係合するように構成された少なくとも一つの切り欠きを備え、前記相補的突出は、前記凹み座部に対して前記少なくとも１つのけん引部材を固定するように、前記切り欠きの前記幅狭な開口を通って挿入されるように変形し、かつ、前記切り欠きの前記拡大部分内でその元のサイズを回復するように構成される、改善されたアイウェア。
【請求項４】
請求項３に記載の改善されたアイウェアであって、
前記少なくとも１つの切り欠きは、前記けん引部材の前記相補的突出上に形成された球状部分を受け入れるように構成された丸い先端を有する切り抜きを含む、改善されたアイウェア。
【請求項５】
請求項１に記載の改善されたアイウェアであって、
前記少なくとも１本のテンプルは、非凹み部分を前記テンプルの後方端に含み、前記非凹み部分は、前記少なくとも１つのけん引部材が前記テンプルから外れるのを阻むように構成され、
前記隣接するテンプル部分は、前記テンプルの前方端に位置し、
前記けん引部材は、前記隣接するテンプル部分と前記非凹み部分との間に位置する、改善されたアイウェア。
【請求項６】
請求項１に記載の改善されたアイウェアであって、
前記少なくとも１つのけん引部材は、弾性材料で作成される、改善されたアイウェア。
【請求項７】
請求項１に記載の改善されたアイウェアであって、
前記少なくとも１つのけん引部材は、ゴムで作成される、改善されたアイウェア。
【請求項８】
請求項１に記載の改善されたアイウェアであって、
前記少なくとも１つのけん引部材は、互換性である、改善されたアイウェア。
【請求項９】
請求項３に記載の改善されたアイウェアであって、
前記けん引部材は、軸方向に延びる概ね上向きの空洞を備え、前記けん引部材の前記内表面上の前記相補的突出は前記概ね上向きの空洞内を横切るように設けられている、改善されたアイウェア。
【発明の詳細な説明】
【関連出願の相互参照】
【０００１】
本出願は、米国特許法第１１９条（ｅ）に基づいて、２０１０年１月８日出願の米国仮出願第６１／２９３，５９１号の優先権を主張する。該出願は、参照によってその開示内容の全体が本明細書に組み込まれている。
【背景技術】
【０００２】
本発明は、総じて、アイウェアに関し、特に、アイウェアのけん引保持力、快適なフィット感、又は美的外観を向上させるためのテンプル装置、並びにそれらを作成及び使用するための方法に関する。
【０００３】
近年、アイウェアの、特に、激しいスポーツでの使用を意図されたアイウェアやファッション用サングラスの分野では、様々な改善がなされている。これらのアイウェア設計は、これまでの激しいスポーツ用アイウェアと比べて、周辺光の遮断を最大化させる、光学的歪みを軽減させる、及び着用者にとっての快適さのレベルを向上させるなどの、様々な機能的利点を実現している。
【０００４】
アイウェアフレームは、通常、標準サイズで作成されており、個人の頭部に特有な輪郭には適合していない。むしろ、通常のフレームは、理想化された「標準的な」解剖学的頭部に適合するように構築されているのが一般的である。その結果、このようなフレームは、多くの場合、個人の頭部によってフィット性がきつすぎたり緩すぎたりする。きつすぎるフレームは、局所的な不快感、痛み、及び頭痛を引き起こす恐れがあり、一方で、緩すぎるフレームは、アイウェアが頭部から落下して、フレーム又はレンズを損傷させる恐れがある。これは、自転車レース又はスキーなどの激しいスポーツでの使用を意図されたサングラスなどの保護用アイウェアの場合に、特に不都合である。また、矯正レンズの重さがレンズ間で異なるケースでは、不均等な重量配分ゆえに、フレームによって皮膚が局部的に擦り剥かれる恐れがある。
【０００５】
一部の実施形態によれば、アイウェアテンプルは、より強いけん引性、よりしっかりしたフィット感、及び／又は使用時に滑りにくいより快適なフィット感を提供するために、耳で及び／若しくは耳の近くで又はこめかみ領域でユーザの頭部に接触するように構成された、可撓性のテンプル部材を含む。一部の実施形態では、テンプル部材は、過度な摩耗若しくは損傷の後に、又は異なるフィット感若しくは外観を実現するために、取り外し可能で且つ交換可能とすることができる。テンプル部材は、テンプルの一部分を軸方向に収容するように構成された第１の概ね筒状の部分と、テンプルの少なくとも一部分の全周囲未満を周方向に取り巻くように構成された第２の概ね溝槽状の部分とを含むことができる。一部の実施形態では、テンプル部材及びテンプルは、取り外し可能なただしアイウェアの激しい使用時に総じてしっかりと適所に留まる方式でテンプル部材をテンプルに固定するための、相補的な境界構造又は保持構造を含むことができる。
【図面の簡単な説明】
【０００６】
本明細書で開示されている本発明の実施形態の各種の特徴が、図面を参照にして以下で説明される。例示の実施形態は、発明の説明を意図したものであり、発明を限定することは意図していない。図面は、以下の図を含む。
【図１】本発明の一実施形態におけるアイウェアの右正面斜視図である。
【図２】図１のアイウェアのテンプルの左側面図である。
【図３】図２のテンプルの右側面図である。
【図４】図１のアイウェアのテンプルの上面図である。
【図５】図１のアイウェアのテンプルの底面図である。
【図６】図１のアイウェアのテンプルの正面図である。
【図７】図１のアイウェアのテンプルの背面図である。
【図８】けん引部材が透明で示された図２のテンプルの側面図である。
【図９】図２のけん引部材の左後面斜視図である。
【図１０】図２の線１０−１０に沿った断面図である。
【図１１】図２の線１１−１１に沿った断面図である。
【図１２】本発明の別の実施形態におけるアイウェアの左側面図である。
【発明の詳細な説明】
【０００７】
本説明は、各種の実施形態の具体的詳細を明記しているが、この説明は、例示目的にすぎず、いかなる意味でも限定的だと見なされるべきでない。また、本発明の特定の実施形態は、デュアルレンズアイウェアシステムに関連づけて開示又は図示されるが、これらの実施形態は、ユニタリレンズ及びデュアルレンズの両アイウェアシステムを含むがこれらに限定されない様々なタイプのアイウェアに使用可能であると考えられる。更に、本発明の特定の実施形態は、フルリムを有するフレームとの絡みで開示又は図示されるが、このような実施形態は、フルリムを有するフレーム、又は部分リムを有するフレーム、又はリムレスフレームに使用可能であると考えられる。更に、当業者であれば想到されうるこのような実施形態の各種の応用及びそれらに対する変更もまた、本明細書で説明される一般概念によって網羅されている。
【０００８】
本出願で使用される「アイウェア」及び「メガネ」は、それらの通常の意味にしたがって使用されることを意図された総括的用語である。例えば、これらの用語は、視覚障害のための矯正レンズを含むものや、電磁スペクトルを部分的に吸収若しくは遮断するためのフィルタ、眼を物理的に保護するためのフィルタ、又は保護若しくは視覚補助を目的としたその他の物理的若しくは光学的機能を可能にするためのフィルタなどの特殊用途のレンズを含むものなどの、任意の光学装置を包含している。
【０００９】
図１に示されるように、眼に対する所定の配置にレンズを位置決めするように構成されたアイウェア１０は、フレーム１２と、レンズ１４と、テンプル２０とを含むことができる。テンプル２０は、それぞれのジョイント１５でフレーム１２に対して枢動式に取り付ける又は結合することができる。ジョイント１５は、テンプル２０が収納位置と展開位置との間で選択式に枢動されることを可能にすることができる。図１に示されるように、テンプル２０は、展開位置に位置決めされており、使用可能な状態にある。図１では、テンプル２０は、フレーム１２に対して枢動式に取り付けられた状態で示されているが、テンプル２０は、本発明の範囲を逸脱することなく、フレーム１２に対して所定の向きで永久的に取り付けられてもよく、又選択式に係合可能であってもよい。或いは、フレーム１２は、熱可塑性樹脂系接着、接着ネジ、又はレンズ及びテンプルの材料に適したその他の締結手段によって、テンプルヒンジを用いてまたは用いずに、テンプル２０をレンズ１４に直接固定することによって完全になくしてもよい。
【００１０】
一部の実施形態では、フレーム１２及びテンプル２０は、レンズを固定及び安定させる所望の特性を有する一方で尚もアイウェアがそのテンプル２０に所望の撓み特性を付与することを可能にすることができる金属、ポリマ、又は比較的硬いその他の材料で作成することができる。例えば、一部の実施形態では、優れた機械的特性を付与しつつメガネの重量を減らすために、チタン、炭素繊維、プラスチック、アルミニウム、又はその他の類似の材料をフレーム１２及び／又はテンプル２０に使用することができる。格別な剛性、耐久性、及び耐摩耗性を付与するためには、任意の適切な金属、プラスチック、金属、又はその他の剛性材料を使用してメガネを形成することができる。それでも尚、本明細書で開示されている各種の特徴及び態様は、例えばプラスチック、アセテート、複合材、金属な
どの、又はそれらの任意の組み合わせなどの、任意の材料で作成されたメガネに使用することができる。レンズ１４は、任意の数の構成をとることができ、レンズの用途に応じてシート状プラスチック、成形プラスチック、ガラスなどで形成することができる。
【００１１】
各テンプル２０は、前方端２２と、後方端２４とを含むことができ、前方端２２は、フレーム１２に対して永久的に又は着脱式に取り付けられ、後方端２４は、総じて自由になっている。テンプル２０は、プラスチック、アセテート、複合体、金属などの、任意の適切な材料で作成することができる。フレーム１２へのテンプルの永久装着は、例えば、成形又は熱可塑性樹脂系接着によって達成することができる。テンプル２０とフレーム１２との着脱式係合は、スナップ嵌め、又はネジ若しくはピンを含む締結具の使用などの、各種の方法によって提供することができる。
【００１２】
図１に示されるように、一部の実施形態では、アイウェアは、着脱式のヒンジ接続を含む。フレーム１２又はレンズ１４は、上方フレームフランジ１６ａ及び下方フレームフランジ１６ｂの内表面上に、互いの方に開くように配されたヒンジ開口（不図示）を含むことができる。図３に示されるように、テンプル２０は、反対方向に突き出した突起（不図示）が外表面上に設けられた１対の平行テンプルフランジ１８ａ及び１８ｂを含むことができる。テンプルフランジ１８ａ、１８ｂは、フレームフランジ１６ａ、１６ｂ及び／又はテンプルフランジ１８ａ、１８ｂの変形によって挿入され、そこで、突起を開口にスナップ嵌めされることによって、容易に着脱可能なヒンジを提供することができる。その他の実施形態では、開口をテンプルフランジ１８ａ、１８ｂの外表面上に設け、突起をフレームフランジ１６ａ、１６ｂの内表面上に設けることができる。
【００１３】
一部の実施形態では、ヒンジ開口は、フレームフランジ１６ａ、１６ｂ及びテンプルフランジ１８ａ、１８ｂを貫通することができる。テンプルフランジ１８ａ、１８ｂの開口とフレームフランジ１６ａ、１６ｂの開口の位置を揃えてピンを挿入することによって、テンプル２０に対するフレーム１２又はレンズ１４の回転を許容するヒンジ式接続が提供される。その他の実施形態では、容易に着脱可能なヒンジ式接続などの、当該分野で知られたその他のヒンジ式接続が考えられる。
【００１４】
一部の実施形態では、アイウェアは、アイウェアの着用時に耳の後ろに位置することができるループ又は曲がりを提供するために、テンプルの後方端２４又はその近くに湾曲部分を含むことができる。しかしながら、様々なサイズの頭部で使用されるときに、テンプルは、頭部の望ましくない場所に当たる可能性がある。したがって、図１〜３に示されるような一部の実施形態では、アイウェアは、より広く一般的にフィットする概ね直線状のテンプルを含むことができ、多くの着用者に不快感又は煩わしさをもたらす恐れがある従来の耳かけをなくすることができる。
【００１５】
図２、図３、及び図５に示されるように、けん引部材４０のようなテンプル部材は、アイウェアの使用時に、着用者の耳の上位部分などの、着用者の頭部の一部分にけん引部材４０の少なくとも一部分が接触する又は当接するように、テンプル２０の下位部分を覆うことができる。例示の実施形態では、けん引部材４０は、着用者の各種の頭部サイズに対して概ね安定した形で快適に適応するために、並びにアイウェアを手で持っているときに又はアイウェアを着用者の顔に装着しているときにアイウェアを快適に且つよりしっかり把持するための比較的長い領域を提供するために、テンプル２０のほぼ全長にわたって下位部分を覆っている。一部の実施形態では、けん引部材４０の長さは、テンプルのおよそ半分からおよそ全長までの長さであってよい。一部の実施形態では、図に示されるように、テンプルの下位部分の少なくとも約４分の３が、けん引部材４０によって概ね覆われている。
【００１６】
図２、図３、図４、及び図７に示されるように、一部の実施形態では、けん引部材４０は、テンプル２０を概ね若しくは完全に取り巻く、又はテンプル２０を概ね若しくは完全に取り囲む部分を有することができる。その他の実施形態では、図１２に示されるように、けん引部材４０は、テンプル２０の一方側（例えば下位部分）のみに沿わせて、テンプル２０の他方側（例えば上位部分）に沿う部分を伴わないようにしてもよい。けん引部材４０は、テンプルの周囲における、その軸方向長さの大部分又はおよそ全部などの一部分に沿って、テンプルを部分的に取り巻くことができる。一部の実施形態では、このような構成によって、テンプル２０の上縁に沿って総じて剛性が高い表面が提供され、そしてテンプル２０の下縁に沿って総じて弾力性が高い又は総じて柔らかい接触表面が提供される。
【００１７】
図８に関し、テンプル２０の前方端２２と後方端２４との間の中間には、凹み座部３０を配することができる。一部の実施形態では、凹み座部３０の長さ及び形状は、けん引部材４０が凹み座部３０にぴったり嵌り、かつしっかり囲まれるように、けん引部材４０の長さ及び形状に概ね対応していることができる。一部の実施形態では、図に示されるように、テンプル２０の外表面や縁と、けん引部材４０との間の外表面境界は、テンプル２０の長さのおよそ全部又は一部分に沿って、大きな隔たりや、形状又は輪郭の大幅な変化を伴うことなく概ね滑らかで且つ連続しているので、けん引部材４０は、あたかもテンプル２０の一体的部分又は相補的部分であるかのように見え、そして、境界に沿ってデブリが蓄積することはない。一部の実施形態では、けん引部材４０は、凹み座部３０が設けられていないテンプル２０のおよそ全部又は一部分に装着される
【００１８】
例示の実施形態では、凹み座部３０は、テンプル２０の大部分の長さにわたって下位部分を覆っている。凹み座部３０は、図１０に示されるように、テンプル２０の外周の全周（又はほぼ全周）にわたる、外周断面が小さい外表面を有する第１の部分３７と、テンプル２０の外周の全周未満にわたる、外周断面が小さい外表面を有する第２の部分３９とを含むことができる。凹み座部３０の第２の部分３９は、軸方向に伸びる段部３１を含むことができ、これは、一部の実施形態では、テンプル２０の長さの少なくとも一部分（又は概ね全長）にわたって概ね斜め方向に伸びてもよい。例示の実施形態では、軸方向に伸びる段部３１は、テンプル２０の側壁の上位部分の、後方端２４により近い方から、テンプル２０の側壁の下位部分の、前方端２２により近い方に伸びている。一部の実施形態では、図に示されるように、軸方向の段部３１が突き出している部分のテンプル２０は、凹み座部がテンプル２０の周を概ね完全に取り巻いている部分のテンプル２０よりも、軸方向に大幅に長くなっている。軸方向に突き出した段部３１は、図に示されるように、概ね曲線形状を有することができる。一部の実施形態では、第１の部分３７は、テンプル２０の後方領域に位置し、第２の部分３９は、テンプル２０の前方領域に位置する。第１の部分３７は、第２の部分３９よりも大幅に短くてよい。一部の実施形態では、凹み座部３０の全部又はほぼ全部が、第１の部分３７と同様の構造を有し、その他の実施形態では、凹み座部３０の全部又はほぼ全部が、第２の部分３９と同様の構造を有する。一部の実施形態では、軸方向に間隔を空けて、複数の凹み座部３０及び複数のけん引部材４０があってよい。
【００１９】
「凹み座部」という用語は、その通常の意味を有することを意図されている。例示の実施形態では（ただし全ての実施形態ではない）、凹み座部３０は、後方段部３４と、中間段部３２と、前方段部３３とによって定めることができる。中間段部３２は、後方段部３４と前方段部３３との間に配される。前方段部３２と後方段部３４との間の凹み座部３０の断面寸法は、例えば図８及び図１１に示されるように、隣接するテンプル２０の部分の断面寸法よりも小さくてよい。
【００２０】
けん引部材４０がテンプル２０の下位側又は上位側のいずれかのみに沿っている、すな
わちけん引部材４０がテンプル２０の全周未満を取り巻いている一部の実施形態では、凹み座部３０は、図１２に示されるように、後方段部３６及び前方段部３８によって、又は適切な構造をとる単独の段部３６、３８によって定めることができる。段部３６、３８下方の凹み座部３０の断面寸法は、段部３６、３８上方のテンプル２０の断面寸法よりも小さくてよい。
【００２１】
凹み座部３０が（後方段部３４などの）単独の段部を含んでいる一部の実施形態では、座部の断面積は、テンプル２０の一部分と実質的に平坦な状態から、断面積が低減された段部へと先細りに形成される。こうして、単独の段部は、一方向へのけん引部材４０の不測の軸方向変位を防止することができる。もう一方向へのけん引部材４０の軸方向変位は、先細る形態をとっている実施形態では座部の断面積の拡大によって、又は摩擦嵌めなどのその他の手段によって抑制することができる。一部の実施形態では、軸方向変位は、後ほど更に説明されるように、凹み座部３０の中の追加の保持構造によって抑制することができる。
【００２２】
図９を参照すると、細長い弾力性けん引部材４０の一例が示されている。けん引部材４０は、可撓性、柔軟性、及び強化された把持能力などの、多くの異なる材料特性を有することができる。一部の実施形態では、けん引部材４０は、総じて上面に開かれた概ね上向きの開口部すなわち空洞４６が形成され尚且つ凹み座部３０におけるテンプル２０の下表面と境界を接するように構成された第１の部分４２を含むことができる。第１の部分がテンプルの上縁に沿って配置されるように構成された一部の実施形態では、空洞は、底面に沿って開くことができる。図に示されるように、第１の部分４２は、完全に閉じられた筒ではなく概ね溝槽状で且つ一部筒状であるボディを形成することができるように、上壁に沿って軸方向に割れた細長いボディの形態をとることができる。
【００２３】
一部の実施形態では、第２の部分４４は、凹み座部３０を概ね取り巻くように構成された、概ね中空で且つ総じて閉じられた筒状のボディ４４を含むことができる。筒状のボディ４４は、概ね円形、概ね四角形、概ね三角形、概ね楕円形などの、多くの異なる断面形状を有することができる。筒状のボディ４０は、その周に沿って完全に閉じられかつ連続していてもよく、又は開口部若しくは穿孔を有することができる。一部の実施形態では、けん引部材４０は、けん引部材４０の変形の弾性限界を超えずに、テンプル２０の後方端２４などのテンプルの一部分を孔に通らせることができるように、伸張可能または拡張可能であることができる。
【００２４】
図１０に示された実施形態では、けん引部材４０は、概ね台形の断面形状を有する。一部の実施形態では、けん引部材４０の断面形状は、組み立てられたテンプル２０とけん引部材４０とが例えば図１１に示される多角形のような一体的な連続形状を形成するように、テンプル２０の断面形状に対して相補的である。
【００２５】
一部の実施形態では、けん引部材４０は、図１１に示されるように、けん引部材４０とテンプル２０とが組み立てられたときにけん引部材４０の外表面４９がテンプル２０の外表面と概ね位置が揃うように、凹み座部３０の深さと同様の又は対応する厚さを有する。けん引部材４０が隣接するテンプル２０と概ね平坦であるときは、おしゃれで且つ一体感のあるアイウェアの外観を形成することによって、アイウェアの美的外観の向上を図ることができる。その他の実施形態では、けん引部材４０がテンプル２０の周囲を超えて伸びること、又は逆に、テンプル２０がけん引部材４０の周囲を超えて伸びることが可能である。
【００２６】
一部の実施形態では、テンプル２０の少なくとも一部分及びけん引部材４０の少なくとも一部分は、それらを分離させるために必要な力を増大させる又は複雑にするための境界構造を含むことができる。このようにすれば、けん引部材４０は、使用時にテンプル２０からうっかり脱離しにくくなる。例えば、一部の実施形態では、凹み座部３０は、けん引部材４０をテンプル２０に固定するための保持構造を有することができる。図８に示されるように、凹み座部３０は、その下縁に、けん引部材４０の複数の相補的突出としての相補的突起５２を受け入れるための複数の切り欠きとしてのスロット５０を含むことができる。もちろん、それぞれのスロット５０及び突起５２の場所及び／又は向きは、逆転させること又はそれ以外の形で変更することが可能であり、また、各タイプの保持構造の１つ又は２つ以上を、テンプル２０及びけん引部材４０の両方に含めることも可能である。けん引部材４０上の突起５２は、突起５２とスロット５０との間の摩擦、及び／又はけん引部材４０における張力がテンプル２０に対してけん引部材４０を固定するのを助けるように、凹み座部３０のスロット５０に挿入することができる。例示の実施形態では、凹み座部３０は、第１の部分４２に５つのスロット５０を設けられている。その他の実施形態では、４つ以下又は６つ以上のスロット５０を設けることができる。一部の実施形態では、スロット５０は、第１の部分４２に加えて又は代わって、第２の部分４４に設けることができる。一体的な境界構造及び保持構造の使用に加えて又は代わって、けん引部材４０及びテンプル２０は、接着剤、熱接着、オーバモールド、音波溶接、溶剤接着、又はその他の適切な方法若しくは材料を使用して合体させることができる。
【００２７】
引き続き図８に関し、保持構造は、１つ又は２つ以上のしっかり嵌り合う係合構造を含むことができ、例えば、スロット５０は、スロット５０の先端に、拡大部分５４を含むことができる。けん引部材４０は、突起５２の上端に、拡大部分すなわち球状部分５６を含むことができる。けん引部材４０がテンプル２０と結合される際に、球状部分５６は、拡大部分５４に挿入されるのに伴って変形し、次いで、その元のサイズ及び形状を少なくとも部分的に回復することができる。球状部分５６は、テンプル２０に対してけん引部材４０を固定するように、及び凹み座部３０からのけん引部材４０の不測の分離を防止するように、拡大部分５４との間に締まり嵌めを提供することができる。例示の実施形態では、球状部分５６及び／又は拡大部分５４は、概ね円形の断面形状を有する。しかしながら、その他の実施形態では、球状部分５６及び／又は拡大部分５４は、楕円形又は矩形などのその他の任意の形状であってよい。
【００２８】
けん引部材４０の軸方向（後方など）のズレを阻止するために、凹み座部３０は、凹み座部３０に対向する端（前方端など）の方を向いた、図８に示されるようなフック５８などの第１の保持部を含むことができる。フック５８は、けん引部材４０の端部分をテンプル２０に対して解放可能式に保持するために、けん引部材４０上の、図９に示されるようなポケット６０などの第２の保持部に挿入する又は接続することができる。一部の実施形態では、けん引部材４０は、ポケット６０をフック５８にぴったり被せられるように、伸張可能なエラストマ系材料で作成することができる。エラストマ系材料は、その元のサイズを概ね回復し、ポケット６０をフック５８に対して解放可能式に保持する圧縮力又は張力を提供することができる。一部の実施形態では、凹み座部３０は、第１のフック５８とは反対側のテンプル２０の端（後方端など）の方を向いた、第２のフックを含むことができる。第２のフックは、凹み座部３０を覆う第２の部分４４を含まない実施形態（例えば、図１２を参照せよ）において固定手段を提供するのに特に有利である。けん引部材４０がテンプル２０の下位部分上のみに配される実施形態では、テンプル２０の後方端の方を向いた第２のフックは、けん引部材４０の後方端を固定することができる。けん引部材４０は、第２のフックに被せて装着可能な第２のポケットを含むことができる。境界構造及び保持構造の使用に加えて又は代わって、けん引部材４０及びテンプル２０は、接着剤、熱接着、オーバモールド、音波溶接、溶剤接着、又はその他の適切な方法若しくは材料などの、その他の装着手段を使用して合体させることができる。
【００２９】
一部の実施形態では、休み状態にある（テンプル２０に装着される前の）けん引部材４
０の長さは、テンプル２０に装着されるときにけん引部材４０がテンプル２０の少なくとも一部分にわたって軸方向に伸張されるように、凹み座部３０の長さ（又はそれぞれの保持構造の間の長さ）よりも僅かに短くてよい。例えば、第１のポケットを有するけん引部材４０の前方端は、けん引部材４０の前方端と後方端との間に引く力又は張力を発生させるために伸張させて、第１のフックに被せることができ、このような力は、凹み座部３０に対してけん引部材４０を解放可能式に保持することができる。一部の実施形態では、対応する対抗する力が、第２の保持部、又は中間段部３２などの段部によって提供される。この伸張による装着方法によって発生されるけん引部材４０における引っ張りは、けん引部材４０を取り外すために特定の方向に力が加えられるまで不測の離脱を防止することができる。
【００３０】
一部の実施形態では、けん引部材４０は、テンプル２０への装着のための適応部として機能する土台となるキャリア（不図示）に結合することができる。キャリアは、テンプル２０及びけん引部材４０について上述されたのと同様の又は同じ取り付け特徴を含むことができる。一部の実施形態では、キャリアは、対向する側壁に沿ってテンプル２０の少なくとも一部分を把持できるように概ね槽溝状であることができる。キャリアの対向する側壁は、テンプル２０に対してキャリアを固定するための復元力を発生させる特定の形状及び向きをとるように製造することができる。例えば、テンプル２０に装着されるときに、キャリアの側壁は、テンプル２０の一部分を収容するために外向きに曲げられてよく、これは、テンプル２０に対抗する横力を発生させることができ、そうして、キャリアの取り外しに必要な力を増大させる。一部の実施形態では、キャリアは、より硬いプラスチック又は複合体などの、けん引部材４０よりも高剛性の材料で作成することができる。けん引部材４０は、接着剤又はオーバモールドを通じてなどの、当該分野で知られた任意の手段によってキャリアに装着することができる。そして、キャリアは、本明細書で説明された又は当該分野で知られた任意の手段を通じてテンプル２０に装着することができる。一部の実施形態では、キャリアは、けん引部材４０が容易に交換可能であるように、テンプルに対して解放可能式に装着することができる。一部の実施形態では、キャリアは、けん引部材４０のエラストマ系材料によって提供されるクッション及び快適さを尚も維持しつつ、けん引部材４０に対して剛性を付与することができる。
【００３１】
けん引部材４０をテンプル２０に装着するには、けん引部材４０の開いた両側が互いに向かって付勢されるように開口部すなわち空洞４６に付勢するなどの、その他の装着手段が用いられてもよく、これは、一部の実施形態では、閉じられた空洞が形成されるようになる。付勢は、けん引部材４０の相対する両側が連携しあって凹み座部３０の周囲に係合し付勢された両側からの圧縮力がけん引部材４０を凹み座部３０に対して固定するのに十分な大きさであることができる。
【００３２】
一部の実施形態では、装着手段は、テンプル２０及びけん引部材４０の一方又は両方にそれぞれ形成された、１本又は２本以上の相補的な通路及び溝を含むことができる。一部の実施形態では、凹み座部は、けん引部材に覆われることによってけん引部材を凹み座部に固定することができるフランジを含むことができる。装着手段の多くの実施形態では、けん引部材は、過度な摩耗若しくは損傷の後、又は異なる見た目若しくはフィット感をユーザが望むときにおける、けん引部材の容易な取り外し及び交換を促すために、凹み座部に対して解放可能式に装着される。
【００３３】
けん引部材４０は、好ましくは、けん引部材４０の内表面４８がその断面積を非拡張状態にあるときよりも大きくすることによって凹み座部３０の表面にぴったり接触するように構成することができる十分な弾性を有する材料で構成される。内表面４８は、円形又は矩形の断面などの各種の断面形状を有する凹み座部３０の表面にぴったり適合することができる。
【００３４】
一部の実施形態では、けん引部材４０は、成形又は押し出しのプロセスによって形成することができる。けん引部材４０の外表面４９は、アイウェアと頭部との間の静止摩擦係数を向上させるように構成することができる。外表面４９は、突起、隆起、又は織り目加工された表面（不図示）などの、静止摩擦係数を向上させる様々な構成を示すように形成することができる。一部の実施形態では、押し出しによって作成された外表面４９が、軸方向のパターンを示す一方で、成形によって形成された外表面は、軸方向及び／又は半径方向のパターンを示すことができる。
【００３５】
以下で論じられるように、けん引部材４０は、けん引部材４０がテンプル後方端２４に被せられてスライドされる間は拡張し後方端２４を通過した後は再び収縮して凹み座部３０に沿うことを可能にする十分な可撓性又は弾性を示すエラストマ系材料で形成することができる。
【００３６】
一部の実施形態では、けん引部材４０は、材料が濡れているときに増大する滑り摩擦係数を有する比較的柔らかいエラストマ系材料で形成される。このような材料は、親水性と呼ばれることもあり、着用者が汗をかく又はスキー中などのように湿気に見舞われるのに伴って、着用者の頭部上の適所におけるけん引部材４０の保持力を向上させる傾向がある。
【００３７】
一部の実施形態では、けん引部材４０は、比較的高い空隙率を有する弾力性で且つスポンジ様であるエラストマ系材料を含むことができる。一部の実施形態では、けん引部材４０は、合成ゴム、又は天然ゴム、又はゴム様材料などのように、
大幅に密の高い、例えば微細又は空隙率が無であるが尚も可撓性である材料を含むことができる。けん引部材４０の材料の一例は、Ｋｒａｔｏｎ  Ｇポリマである。けん引部材４０は、密度の異なる材料で作成されることによって、重量の異なるけん引部材４０を提供することができ、これは、重量の異なるレンズ間の釣り合いをとって、頭部を中心にアイウェア１０の重量をより均等に均衡させるために使用することができる。
【００３８】
けん引部材４０は、テンプルの全長のおよそ３分の２からおよそ４分の３に及ぶものとして示されているが、けん引部材４０は、テンプル２０の実質的に全長からその比較的短い僅か一部分までの、任意の長さに及ぶことができる。凹み座部３０内に、複数のけん引部材４０が軸方向に並べられてもよい。これら複数のけん引部材４０は、部材４０の合計の長さが前方段部３２と後方段部３４との間の距離に実質的に等しいように選択されてよい、或いは、けん引部材４０の軸方向の合計の長さは、軸方向の間隔が凹み座部３０内の隣り合うけん引部材４０どうしを隔てるようなものであってよい。
【００３９】
例示の実施形態では、けん引部材４０をテンプル２０に組み付ける際に、テンプル２０
の後方端２４を、けん引部材４０の第２の部分４４内の中空の筒状ボディに通すことができる。一部の実施形態では、テンプル２０をフレーム１２又はレンズ１４から取り外し、前方端２２をけん引部材４０の筒状通路に通すことができる。けん引部材４０は、次いで、内表面４８が凹み座部３０に係合するまでテンプル２０に沿って移動される。次は、第１の部分４２を、上述された任意の手段を通じて凹み座部に結合することができる。
【００４０】
凹み座部３０がけん引部材４０の長さに実質的に等しい長さを有する一部の実施形態では、けん引部材４０が凹み座部３０内に収容されるので、前方段部３２及び後方段部３４とけん引部材４０との係合によって、テンプル２０に沿った更なる不測の動きが阻止される。
【００４１】
凹み座部３０は、前方段部３２と後方段部３４との間に複数のけん引部材４０を保持するのに十分な軸方向長さを有することができる。複数のけん引部材４０の使用は、ファッション上考慮すべき点に対応することはもちろん、バレーボールやバスケットボールなどの激しい用途に合わせた高い保持力も可能にする。凹み座部３０内へのけん引部材４０の係合に際し、けん引部材４０の外表面４９は、テンプル２０の周囲よりも外側に配されてもよいし、或いは図１１に示されるように、隣接するテンプル２０の周囲３８と実質的に同高であってよい。けん引部材４０は、様々な壁の厚さで提供することができる。ゆえに、着用者は、けん引力の強化又はおしゃれな外観の必要性に対する着用者の認識に基づいて、図１１に示されるような同高で嵌るけん引部材、又は半径方向に拡大するけん引部材を選択することができる。
【００４２】
特定の実施形態の利点として、けん引部材４０を、それが取り替え可能又は交換可能であるようにテンプル２０に対して解放可能式に装着できることが挙げられる。例えば、けん引部材４０が摩耗したときは、別のけん引部材に交換することができる。場合によっては、けん引部材４０は、特定の活動又は状況に見合うように、異なる設計、スタイル、又は材料特性を持つけん引部材に交換することができる。活動的な場面では、フィット感がしっかりしたクッション付きのけん引部材をテンプル２０に装着することができる。他方、寛いだ場面では、よりおしゃれで、よりカラフルで、且つよりファッション性の高いけん引部材を装着することができる。場合によっては、コスト効率の高いカスタム対応のフィット感を得るために、けん引部材を着用者の形状及びサイズに合わせてカスタム成形し、次いで、標準的なテンプルに装着することができる。
【００４３】
けん引部材がテンプル全体を取り囲まない一部の実施形態では、テンプル設計における自由さが増しており、テンプル全体の厚みを増さなくても、より優れた曲げ制御及び曲げ応力分布を取り入れることができる。テンプル設計における自由さが増せるのは、全周タイプのけん引部材に対応するために、テンプルのサイズをその全周囲にわたって減少させる必要がないからである。
【００４４】
以上では、特定の好ましい実施形態との絡みで発明が開示されてきたが、当業者にならば、本発明が、具体的に開示されている実施形態の範囲を超えて、発明のその他の代替的な実施形態及び／又は使用、並びにこれらの自明の変更形態及び均等形態にまで及ぶことが理解される。また、発明の幾つかのヴァリエーションが詳細に図示及び説明されてきたが、当業者にならば、この開示内容に基づいて、これらの発明の範囲内のその他の変更形態が容易に明らかになる。また、実施形態の特定の特徴及び態様の様々な組み合わせ又は小組み合わせがなされてよく、これらもまた、発明の範囲に入ると考えられる。開示されている実施形態の様々な特徴及び態様は、開示されている発明の様々な形態を形成するために互いに組み合わせること又は置き換えることが可能であることを理解されるべきである。したがって、本明細書で開示されている少なくとも一部の発明の範囲は、上述された特定の開示されている実施形態に限定されるべきでないことが意図されている。
【図１】
0005889801.tif 000002
【図２】
0005889801.tif 000003
【図３】
0005889801.tif 000004
【図４】
0005889801.tif 000005
【図５】
0005889801.tif 000006
【図６】
0005889801.tif 000007
【図７】
0005889801.tif 000008
【図８】
0005889801.tif 000009
【図９】
0005889801.tif 000010
【図１０】
0005889801.tif 000011
【図１１】
0005889801.tif 000012
【図１２】
0005889801.tif 000013